(57)【要約】【課題】周囲の気温（暑さ・寒さ）、日光の影響を受けることなく、子供たちが屋外にて快適に遊べ、また、安全で魅力のある遊戯器具構造を提供することを目的とする。【解決手段】中空パイプ部材３により一筆書き状にて形成され中空パイプ部材３内を熱媒体Ｂが流れるジャングルジム１を備える。ジャングルジム１よりも高所位置に熱媒体Ｂを加熱する熱媒体加熱器１０が設けらている。【選択図】  図２
2004267594.tif 000002
【特許請求の範囲】
【請求項１】
中空パイプ部材（３）により一筆書き状にて形成され該中空パイプ部材（３）内を熱媒体（Ｂ）が流れるジャングルジム（１）を備え、該ジャングルジム（１）よりも高所位置に上記熱媒体（Ｂ）を加熱する熱媒体加熱器（１０）が設けられたことを特徴とする遊戯器具構造。
【請求項２】
中空パイプ部材（３）により一筆書き状にて形成され該中空パイプ部材（３）内を熱媒体（Ｂ）が流れるジャングルジム（１）と、すべり傾斜部（６）とアクセス部（７）とが中空部材により形成され該中空部材内を該熱媒体（Ｂ）が流れるすべり台（２）と、を備え、上流側の上記ジャングルジム（１）の上記中空パイプ部材（３）と下流側の上記すべり台（２）の上記中空部材とが一本の流路を構成するよう直列接続されたことを特徴とする遊戯器具構造。
【請求項３】
上記すべり台（２）の上記すべり傾斜部（６）は、上記熱媒体（Ｂ）を、該すべり傾斜部（６）の上端側の両側方部（６ａ）（６ａ）に夫々接続した第一流量調節バルブ（１１）と第二流量調節バルブ（１２）とを介して流出させる請求項２記載の遊戯器具構造。
【請求項４】
中空パイプ部材（３）により一筆書き状にて形成され該中空パイプ部材（３）内を熱媒体（Ｂ）が流れるジャングルジム（１）を備え、該ジャングルジム（１）の上部に、該中空パイプ部材（３）が門型に曲げられた手すり部（８）を突出状に形成したことを特徴とする遊戯器具構造。
【請求項５】
上記ジャングルジム（１）は、平面視において、輪郭形状が凹凸波形に形成された請求項４記載の遊戯器具構造。
【請求項６】
上記ジャングルジム（１）は複数台が所定間隔（Ｐ）を持って並設され、夫々のジャングルジム（１）の中空パイプ部材（３）同士が直列接続されて一本の流路を構成した請求項４又は５記載の遊戯器具構造。
【請求項７】
上記中空パイプ部材（３）が折り曲げられて一筆書き状に形成された上記ジャングルジム（１）は、該中空パイプ部材（３）の折り曲げ部同士が相互に近接した交叉部（９）を有し、かつ、該交叉部（９）において上記折り曲げ部同士が連結球体（１３）を介在させて溶接され、構成される請求項４，５又は６記載の遊戯器具構造。
【発明の詳細な説明】
【０００１】
【発明の属する技術分野】
本発明は、公園や学童・幼児施設に設置される遊戯器具構造に関する。
【０００２】
【従来の技術】
従来、公園、保育園、幼稚園、小学校等に設置されて、幼児や子供が使用する遊戯器具（例えば、すべり台やジャングルジム等）は、金属板や金属棒の金属部材を組み合わせて溶接等により製造されている。
また、これら遊戯器具において、構成金属部材を中空部材とし、中空部に熱媒体を流すものが提案されている（例えば、特許文献１参照）。
【０００３】
【特許文献１】
特開２００２−０００９５２号公報
【０００４】
【発明が解決しようとする課題】
金属部材にて構成された従来の遊戯器具は、周囲の気温（外気）、日光の影響を受けやすく、夏の炎天下では火傷するほど熱せられ、また、冬は凍りつくほど冷たくなる。さらに、冬は、遊戯器具に結氷・結露が生じ、滑って転落などの事故が発生しやすくなるという問題がある。
また、従来の遊戯器具の形状は単調で退屈なものが多く、さらに上記の問題が拍車をかけ、夏期、冬期には幼児や子供が積極的に遊戯器具を使いたがらない。
特に、昨今、子供たちは屋内（家）で遊ぶことが多く、体力の低下が問題視されており、子供たちが屋外で太陽の光をいっぱいに浴びて元気にのびのびと遊ぶことができる環境の整備が必要とされている。
【０００５】
そこで本発明は、周囲の気温（暑さ・寒さ）、日光の影響を受けることなく、子供たちが屋外にて快適に遊べ、また、安全で魅力のある遊戯器具構造を提供することを目的とする。
【０００６】
【課題を解決するための手段】
上述の目的を達成するために、本発明に係る遊戯器具構造は、中空パイプ部材により一筆書き状にて形成され該中空パイプ部材内を熱媒体が流れるジャングルジムを備え、該ジャングルジムよりも高所位置に上記熱媒体を加熱する熱媒体加熱器が設けられたものである。
また、本発明に係る遊戯器具構造は、中空パイプ部材により一筆書き状にて形成され該中空パイプ部材内を熱媒体が流れるジャングルジムと、すべり傾斜部とアクセス部とが中空部材により形成され該中空部材内を該熱媒体が流れるすべり台と、を備え、上流側の上記ジャングルジムの上記中空パイプ部材と下流側の上記すべり台の上記中空部材とが一本の流路を構成するよう直列接続されている。
また、上記すべり台の上記すべり傾斜部は、上記熱媒体を、該すべり傾斜部の上端側の両側方部に夫々接続した第一流量調節バルブと第二流量調節バルブとを介して流出させるものである。
また、本発明に係る遊戯器具構造は、中空パイプ部材により一筆書き状にて形成され該中空パイプ部材内を熱媒体が流れるジャングルジムを備え、該ジャングルジムの上部に、該中空パイプ部材が門型に曲げられた手すり部を突出状に形成したものである。
また、上記ジャングルジムは、平面視において、輪郭形状が凹凸波形に形成されている。
また、上記ジャングルジムは複数台が所定間隔を持って並設され、夫々のジャングルジムの中空パイプ部材同士が直列接続されて一本の流路を構成している。
また、上記中空パイプ部材が折り曲げられて一筆書き状に形成された上記ジャングルジムは、該中空パイプ部材の折り曲げ部同士が相互に近接した交叉部を有し、かつ、該交叉部において上記折り曲げ部同士が連結球体を介在させて溶接され、構成されるものである。
【０００７】
【発明の実施の形態】
以下、図示の実施の形態に基づき、本発明を詳説する。
【０００８】
図１は、本発明の遊戯器具構造の実施の一形態を示す全体構成図であり、図２は、遊戯器具構造の側面図である。なお、図１の遊戯器具は平面から見たものである。本発明に係る遊戯器具構造が有する遊戯器具は、公園、保育園、幼稚園、小学校等に屋外において設置され、幼児や子供等が利用するものである。
【０００９】
本発明に係る遊戯器具構造は、中空パイプ部材３により一筆書き状にて形成され中空パイプ部材３内を熱媒体Ｂが流れるジャングルジム（ジャングルタワー）１を備える。つまり、このジャングルジム１は、図３の斜視図に示すように、複数本の中空パイプ部材３が連続的に接続されかつ所定箇所にて折り曲げられ、所定形状のジャングルジム１の全体が一本の管路（流路）を構成するよう形成されたものである。つまり、ジャングルジム１の管路の一端部１４側から熱媒体Ｂが流入し、ジャングルジム１全体を順次通過し、他端部１５側から熱媒体Ｂが流出する。
【００１０】
そして、図２に示すように、ジャングルジム１の一端部１４側が接続されるその上流側には、熱媒体Ｂを加熱する熱媒体加熱器１０が設けられ、熱媒体加熱器１０は、ジャングルジム１よりも高所位置に設けられている。これにより、熱媒体加熱器１０のメンテナンスが容易に行える。
【００１１】
また、遊戯器具構造は、中空パイプ部材３により一筆書き状にて形成され中空パイプ部材３内を熱媒体Ｂが流れるジャングルジム１と、すべり傾斜部６とアクセス部７とが中空部材により形成されその中空部材内を熱媒体Ｂが流れるすべり台２と、を備えている。そして、上流側のジャングルジム１の中空パイプ部材３と下流側のすべり台２の中空部材とが一本の流路を構成するよう直列接続されている。つまり、上流側から順に、熱媒体加熱器１０、ジャングルジム１、すべり台２が一本の管路を構成するよう形成されており、熱媒体加熱器１０がジャングルジム１とすべり台２よりも高所位置に設置される。
つまり、ジャングルジム１とすべり台２とは、人体と接触する部位が中空とされており、これら中空部に熱媒体Ｂが流れる。
【００１２】
ジャングルジム１について説明すると、ジャングルジム１は、中空パイプ部材３を所定箇所にて折り曲げ一筆書き状として一体のジャングルジム１を構成する。なお、ジャングルジム１は、複数本の中空パイプ部材３が溶接、管用テーパネジ等を有する継手部材により連続状に接合されて、一つの連続した管路を形成する。つまり、中空パイプ部材３は、子供たちが登ったりして直接触れ遊ぶ器具となるジャングルジム１の構成部材であると共に、熱交換を行わせる熱媒体Ｂを内部に流れさせる配管として機能している。
【００１３】
中空パイプ部材３の材質は、金属製としており熱伝導率が良く、強度が大きく、加工性が優れた塗装鋼管や、さらに耐腐食性のあるステンレス鋼管等が使用され、また、使用内圧（水圧）に耐え、かつ、ジャングルジム１として十分強度・剛性を有する管厚を有する。
以上の構成により、ジャングルジム１が一本の管路にて構成されているため、熱媒体Ｂが全く滞留することがなく、全体において加熱又は冷却が可能となって、かつ、全体を略同じ温度に保つことができる。従って、熱交換している部位としていない部位とが併存しないため、ジャングルジム１上にて遊ぶ子供たちが、温度の急変により驚いて、落下等の事故が起こることがない。
【００１４】
次に、すべり台２について説明すると、すべり台２は、すべり傾斜部６とアクセス部７とが、熱媒体Ｂが流過する中空部材により構成されている。アクセス部７は、階段部２１と上部水平部２２に配設される手すり部２３とする他に、階段部２１と上部水平部２２とこれらに付設される手すり部２３とからなる場合でもよい。さらには、階段部２１と上部水平部２２としてもよい。つまり、熱媒体Ｂが流れる中空部材は、手すり部２３のみとする場合、又は階段部２１と上部水平部２２と手すり部２３とする場合、又は階段部２１と上部水平部２２とする場合がある。
【００１５】
そして、すべり台２における流路は、アクセス部７の中空管路にすべり傾斜部６の中空管路を（連絡管を介在させて）連接し、すべり台２全体で一本の管路として構成させる。つまり、図１に示すように、一端部２９から熱媒体Ｂが流入し、他端部３０から流出する。
【００１６】
そして、図４のすべり傾斜部６の横断面図と図５のすべり傾斜部６の上端部の斜視図に示すように、すべり傾斜部６は、熱媒体Ｂを、すべり傾斜部６の上端側の両側方部６ａ，６ａに夫々接続した第一流量調節バルブ１１と第二流量調節バルブ１２とを介して流出させている。特に、すべり傾斜部６の上端側の両側方部６ａ，６ａの上部位置に夫々導出管２４，２４を接続し、夫々に第一・第二流量調節バルブ１１，１２を接続している。
これにより、すべり傾斜部６の中空部が広くても、流量を調整することで、左右両側を均等な温度とすることができ、また、熱媒体Ｂが流れにくい側方部６ａ上部側に熱媒体Ｂを大きな流速をもって流すことができ、側方部６ａに熱媒体Ｂを滞留させることがなく、側方部６ａにおいて効果的に熱交換できる。
【００１７】
また、すべり傾斜部６は、図４に示すように、鋼板の両端縁を突き合わせ状（又はラップ状）として溶接しループ状とし、全体が断面コ字型の中空管部材としている。そして、その中空部に熱媒体Ｂが流れる。また、すべり傾斜部６の下面・両側面は断熱部材２６により被覆され、さらに、その外面側に化粧板２７を設けている。なお、すべり台２のすべり傾斜部６及びアクセス部７、その他脚部等の強度部材は金属製とされ、ジャングルジム１と同様に熱伝導率が高く、耐腐食性のあるステンレス鋼とするのが好ましい。
【００１８】
熱媒体Ｂは液体であり、特に、水（水道水）を使用して利便性を図っている。熱媒体加熱器１０は、ジャングルジム１（すべり台２）の最高部より  １５０ｍｍ〜  ３００ｍｍ程度だけ高い位置にその最下部が位置するよう配設されている。つまり、加熱器１０の最下部は地面より約２ｍの高さ位置に配設される
また、加熱器１０の熱媒体流入部の水圧を通常使用される水道の水圧（２．７  〜３ｋｇ／ｃｍ２  ）程度又はそれ以下となるようしている。従って、熱媒体加熱器１０としては、通常利用されている給湯器とすることができ、遊戯器具構造を安価とし導入しやすくしている。そして、熱媒体Ｂは温水、冷水（自然水）となり、水を使用するため安全である。
【００１９】
また、この遊戯器具構造は、水道水の水圧をそのまま利用して水を流下させる自然流下方式を採用してもよい。
水道水の水圧をそのまま利用する以外にも、図１に示すように、貯水槽１６を設け、ポンプ１７により貯水槽１６の水を下流へ水圧をかけて流下させてもよい。この場合でも、やはり加熱器１０における水圧は水道の圧力程度とするのが好ましい。
【００２０】
冬期（遊戯器具を加熱する加熱時期）は加熱器１０により熱媒体Ｂを加熱しジャングルジム１及びすべり台２内を通水させ、熱媒体Ｂの熱を遊戯器具へ与えるが、夏期（遊戯器具を冷却する冷却時期）は加熱器１０を作用させず、加熱していない熱媒体Ｂ（水道水）をそのまま通水させ、遊戯器具の熱を熱媒体Ｂが吸収する。そして、図１に示すように、バイパス管１８を加熱器１０と並列となるよう接続し、夏期は上下流の切り換えバルブ３１，３２により、加熱器１０に水を流さずにバイパス管１８を流し、遊戯器具に水を流すよう構成している。これにより、その期間、加熱器１０を空にして水垢が付着するのを防いでいる。
【００２１】
従って、貯水槽１６から出た熱媒体Ｂは、ポンプ１７により、冷却時期はバイパス管１８を、加熱時期は加熱器１０を、通過し、ジャングルジム１及びすべり台２（又はいずれか一方のみ）を通過し、貯水槽１６へ返還される。つまり、この遊戯器具構造は、還流式である。なお、冷却時期において遊戯器具内を通過して温められた水を冷却する熱交換器をいずれかの位置に設けてもよいが、特に設けずに貯水槽１６に新たな水を追加供給し、余分な水を害のないよう排出（オーバーフロー）させてもよい。
【００２２】
さらに、上記自然流下式及び上記還流式とも、常時連続的に熱媒体Ｂを流してもよいが、タイマー制御により間欠的に流すよう運転してもよい。また、途中管路又は遊戯器具に温度センサーを設け、自動制御させて通水を行うようしてもよい。
また、図２に示すように、ジャングルジム１の中空パイプ部材３による管路及びすべり台２の中空部材による管路及びこれらと連結される導水管１９のうちの低位置に、残留する熱媒体Ｂの排出を行うドレン設備２０（ドレン管、自動制御又は手動ドレンバルブ）を設けている。これにより、冬期において、熱媒体Ｂを流していない夜間等に熱媒体Ｂが凍結するのを防止し、また、メンテナンスのため排水が必要な場合に使用できる。
【００２３】
次に、上述したような遊戯設備構造において使用されるジャングルジム１の形態について説明する。このジャングルジム１は、上述のとおり、中空パイプ部材３により一筆書き状にて形成され（一繋がりの中空パイプ部材３にて形成され）、中空パイプ部材３内を熱媒体Ｂが流れるものである。そして、図１〜図３に示すように、ジャングルジム１の上部に、中空パイプ部材３が門型に曲げられた手すり部８を突出状に形成している。つまり、ジャングルジム１の上面部は、従来のもののように単純な平面状とするのではなく、天井面から突出させた手すり部８を複数形成している。これにより、子供たちは、ジャングルジム１の上部を安全に、容易に移動することができ、多彩な遊びが行われる。
【００２４】
さらに、ジャングルジム１は、平面視において、輪郭形状が凹凸波形に形成されている。つまり、図１に示すように、一つの鉛直平面の表面と裏面と交互に（ジグザクに）鉛直直方体状に形成されたジャングルジム小ブロック２５が（小ブロック２５の面が隣り合うことなく）配設されている。
【００２５】
また、図６の平面図に示すように、ジャングルジム１は複数台が所定間隔Ｐを持って並設され、夫々のジャングルジム１の中空パイプ部材３同士が、中間導水管２８を介して、直列接続されて一本の流路を構成するようしてもよい。なお、この間隔Ｐは人（子供）が通過できる幅とし、ジャングルジム１を中心とした様々な遊びを子供たちが自ら考え出し、楽しく遊ぶことができる。
【００２６】
図７と図８は、ジャングルジム１の構造を説明する要部（交叉部９）の斜視図である。図３と図７と図９に示すように、中空パイプ部材３が折り曲げられて一筆書き状に形成されたジャングルジム１は、中空パイプ部材３の折り曲げ部同士が相互に近接した交叉部９を有し、かつ、交叉部９において折り曲げ部同士が連結球体１３を介在させて溶接され、構成されている。
【００２７】
具体的に説明すると、ジャングルジム１を構成する中空パイプ部材３は、幾回も直角方向に折り曲げられて一筆書き状となって一端部１４から他端部１５まで一つの管路とされている。中空パイプ部材３は、例えばφ２５ｍｍ程度のパイプが使用されており、その曲げ半径（曲率半径）は約６０ｍｍ程度であり、その折り曲げ部同士が相互近接した交叉部９では隙間が生ずる。そして、その交叉部９に、中空パイプ部材３と同じ（同等の）材質による金属製（ステンレス）の連結球体１３を配置させ、折り曲げ部同士が連結球体１３を挟んで相互間で溶接される。なお、図７は、二つの折り曲げ部が交叉する場合であり、図８は、三つの折り曲げ部が交叉する場合である。
【００２８】
連結球体１３の直径は、中空パイプ部材３の直径と略同じとし、φ２５ｍｍのパイプの場合、φ２５ｍｍの直径の球体としている。これによれば、３次元的に、複数箇所の折り曲げ部が簡単かつ確実、強固に接合でき、安全で、見た目も良いジャングルジム１を構成できる。
【００２９】
【発明の効果】
本発明は上述の構成により次のような効果を奏する。
【００３０】
（請求項１によれば）中空パイプ部材３内は熱媒体Ｂが流れるため、外気、日光の影響を受けることなく、子供たちが屋外にて快適に遊べる。つまり、夏は冷たく、冬は温かい遊戯器具が得られる。
中空パイプ部材３を所定箇所にて折り曲げ一筆書き状として一体のジャングルジム１を構成するため、溶接接合部を少なくできる。
子供たちの遊ぶ気持ちを促進させることができ、体力の向上を図ることができ、健全な子供の育成が行える。
【００３１】
（請求項２によれば）請求項１の効果を有すると共に、すべり台２を下流側とすることで、冬期において、すべり台２のすべり傾斜部６を過剰に温めることがない。つまり、すべり傾斜部６は摩擦熱が多少生ずるため、熱交換効率が若干弱まる下流側にすべり台２を配設することで、効率を上げることができる。
【００３２】
（請求項３によれば）中空部が広いすべり傾斜部６において、左右両側方部６ａ，６ａの温度が均等となるよう熱媒体Ｂの流量の調節ができ、また、熱媒体Ｂが流れにくい側方部６ａに熱媒体Ｂを大きな流速をもって流すことができ、側方部６ａに熱媒体Ｂを滞留させることがない。従って、子供たちの手が接触するすべり傾斜部６の側方部６ａにおいて効果的に熱交換でき、より一層快適なものとすることができる。
【００３３】
（請求項４によれば）請求項１の効果を有すると共に、ジャングルジム１の上部に子供たちが安全に立つことができ、また、その手すり部８内は熱媒体Ｂが流れるため、周囲の気温（暑さ・寒さ）、日光の影響を受けることなく、子供たちが屋外にて快適に遊べる。
【００３４】
（請求項５によれば）設置面積が小さいながらも、外周面積が広くなり、多くの子供たちが同時に使用することができる。また、形状に変化があるため、遊びの幅が広がり魅力あるジャングルジム１が構成できる。
【００３５】
（請求項６によれば）ジャングルジム１とジャングルジム１との間を子供が通過でき、また、全体構成に変化があるため、遊びの幅が広がり魅力ある遊具が構成できる。
一筆書き状に作製し易く、また、ロスを少なくして熱媒体Ｂを流すことができる。
【００３６】
（請求項７によれば）中空パイプ部材３を所定位置にて折り曲げて一筆書き状とすると、その折り曲げ部がアール状となることで、近接する他の中空パイプ部材３との間に隙間ができるが、無理なく簡単に、かつ、強固に相互間の接合が可能となる。また、連結部材が球形であるため安全であり、見た目もよい。
【図面の簡単な説明】
【図１】本発明の遊戯器具構造の実施の一形態を示す全体構成図である。
【図２】遊戯器具構造の側面図である。
【図３】中空パイプ部材により一筆書き状に形成したジャングルジムの斜視図である。
【図４】すべり台のすべり傾斜部の横断面図である。
【図５】すべり傾斜部の上端部の斜視図である。
【図６】ジャングルジムの平面図である。
【図７】ジャングルジムの交叉部の斜視図である。
【図８】ジャングルジムの交叉部の斜視図である。
【符号の説明】
１  ジャングルジム
２  すべり台
３  中空パイプ部材
６  すべり傾斜部
６ａ  側方部
７  アクセス部
８  手すり部
９  交叉部
１０  熱媒体加熱器
１１  第一流量調整バルブ
１２  第二流量調整バルブ
１３  連結球体
Ｂ  熱媒体
Ｐ  間隔
【図１】
2004267594.tif 000003
【図２】
2004267594.tif 000004
【図３】
2004267594.tif 000005
【図４】
2004267594.tif 000006
【図５】
2004267594.tif 000007
【図６】
2004267594.tif 000008
【図７】
2004267594.tif 000009
【図８】
2004267594.tif 000010